(57)【特許請求の範囲】
【請求項１】
乗り場に設置され、エレベーターの位置情報を表示する表示器と、
乗り場の表示器周辺に設置され、押し圧を加えることによりエレベーターの操作を行なう操作釦と、
表示器のコントラストを変化させるコントラスト変化手段と、
操作釦を通常操作モードからコントラスト操作モードへ切替えるモード切替部と、
このモード切替部を作動させるモード切替スイッチと、を備え、
モード切替スイッチは、エレベーター保守員とビル管理者とビルオーナーとを含む特定者のみ切替え可能となるよう設けられており、
モード切替スイッチにより操作釦をコントラスト操作モードに切替え、操作釦によりコントラスト変化手段を作動させ、
コントラスト変化手段は、操作釦に押し圧を加えることにより作動して表示器のコントラストを変化させ、
表示器のコントラストの変化量は、操作釦の押し圧の継続時間に依存することを特徴とするエレベーター表示装置。
【請求項２】
各乗り場に設置されエレベーターの位置情報を表示する表示器と、
各乗り場の表示器周辺に設置され、押し圧を加えることによりエレベーターの操作を行なう操作釦と、
各表示器のコントラストを変化させるコントラスト変化手段と、
特定乗り場の操作釦を通常操作モードからコントラスト操作モードへ切替えるモード切替部と、
このモード切替部を作動させるモード切替スイッチとを備え、
モード切替スイッチは、エレベーター保守員とビル管理者とビルオーナーとを含む特定者のみ切り替え可能となるよう設けられており、
モード切替部は、特定乗り場のモード切替スイッチにより作動して操作釦をコントラスト操作モードに切替え、
コントラスト変化手段は、当該特定乗り場の操作釦に押し圧を加えることにより作動して当該特定乗り場および他の乗り場の表示器のコントラストを変化させ、
各表示器のコントラストの変化量は、操作釦の押し圧の継続時間に依存することを特徴とするエレベーター表示装置。
【発明の詳細な説明】
【０００１】
【発明の属する技術分野】
本発明はエレベーター表示装置に係り、とりわけ表示器のコントラストを容易に変化させることができるエレベーター表示装置に関する。
【０００２】
【従来の技術】
エレベーターの表示装置は、表示器と、操作部と、表示制御装置と、これらを収納するユニットから成り、乗降客は乗り場あるいはかごの表示器により、エレベーターの位置と上昇、下降の動きを認識している。乗降客にとって、最も重要なことは安全性に優れ、快適にかつ、適度な速度で敏速に移動することである。また、エレベーターの顔となる表示器が人に見やすく、分かりやすいことも重要であり、表示器はヒューマンインターフェイスとして位置付けられている。表示器には様々な種類があり、単色ＥＬＤ表示、３色ＬＥＤ表示、交流ランプ表示、蛍光表示管表示、液晶（ＬＣＤ）表示等がある。この中で特に表示器の見やすさ、美しさに優れ、今後は表示器の主流となると考えられるものが液晶表示器（ＬＣＤ）である。
【０００３】
ＬＣＤ表示器を代表にとりＬＣＤ表示装置の構成について図５を用いて説明する。エレベーターに用いられるＬＣＤ表示器は、一般的にキャラクタタイプの半透過型か透過型のポジ表示となり、表示方法も１／２〜１／１６デューティのＴＮ型表示方式となる。ＬＣＤ表示器の電源電圧は一般的にＤＣ５Ｖから０Ｖの電圧を変化させコントラストを調整する構造となっている。図５においてＬＣＤ表示装置は、ＣＰＵ４と、規格シリアル伝送制御装置５と、ノズルフィルタ３５と、ＬＣＤ制御装置１０と、ＬＣＤ表示部１１と、ＬＣＤ電源変換装置８とを備えている。
【０００４】
このうちＬＣＤ制御装置１０とＬＣＤ表示部１１とにより、ＬＣＤ表示器９が構成されている。操作釦１は乗降客により操作され、信号は表示制御装置２０内のフィルタ３によりノイズ成分や釦のチャタリングが除去されＣＰＵ４に入力される。ＣＰＵ４では釦信号を一旦ＲＡＭに記憶する。記憶データーは表示器９と主制御装置間を結ぶ規格シリアル伝送制御装置５で送受信される。この規格シリアル伝送制御装置５は一般的にＲＳ−４２２、ＲＳ−４８５等の長距離平衡型シリアル伝送で差動入力タイプとなっており、対ノイズ性にすぐれ、約３０程度のステーションが接続できる特徴をもつ。表示器９はかご、各乗り場階に複数設置され、表示器９各々の各ステーションは主制御装置より送信されるアドレスに対し、割り付けられたアドレスと一致するかどうか判別され、一致した場合、操作釦データを主制御装置へ送信するか、階床表示データーを受け取り表示器９に表示させるかをＣＰＵ４内で判断する。
【０００５】
階床データー表示の場合は、転送データーを一旦ＣＰＵ４内のＲＡＭに記憶し、アプリケーション処理の中でポートデータもしくはアドレスデータとしてＣＰＵ４に接続された表示器９にデータを出力する。表示は階床位置を表示する階床表示とかごの走行方向を示す方向表示が主なものである。階床表示の場合、２桁表示で１バイト、方向灯表示の場合、アップダウンで２ビットのデーターを必要とする。また、表示のフォントには１６セグメント表示、７セグメント表示、ドットマトリクス表示、ドット表示等がある。これらの表示はＬＣＤ表示制御装置１０内の別のＣＰＵによりフォント制御が行なわれる。
【０００６】
一方、このような表示において、表示器９が設置される環境は様々であり、一般かご内、展望用かご内、室内乗り場、屋外乗り場等、設置環境が変化すると、照明照度、日照度により表示部の見やすさの度合いも違ってくる。このため表示器９の表示部１１を見やすくする方法として表示部１１のコントラストを調整する方法がある。ＬＣＤ表示の場合、ＬＣＤ電源を可変することでコントラストを変化させることが可能である。この場合、電圧変換装置８は、一般的に可変抵抗１５の分圧比を変更することで電圧を変更する。この可変抵抗１５は表示制御装置２０内に設置され、ドライバーやドライバー相当品の工具を使用し手動で調整するものである。
【０００７】
【発明が解決しようとする課題】
コントラスト調整の際、エレベーター据付時に調整及び保守員がかご内や乗り場の表示装置を一つ一つ取りはずしコントラスト調整している。この場合、稼動後は季節による照度の変化、照明照度の劣化、表示部の劣化等の長期間に発生する要因により表示部１１の見やすさが変化する。この場合、ビル管理人やテナントオーナーは自主的にコントラストを調整することは不可能であり、エレベーター保守員に調整させている。この場合、即座にメンテナンス調整が実施されるものでなく、調整スケジュール等による遅れが発生する可能性がある。また、コントラストの調整作業も表示装置を一つ一つはずし、手動で可変抵抗を操作したうえでコントラストを決定し、再び元の位置に表示装置を設置するので、特に高階床では乗り場の表示の数が多く、これらの作業労力は非常に大きいものとなる。
【０００８】
本発明はこのような点を考慮してなされたものであり、保守員やビル管理人等の特定者が容易に表示器のコントラストを調整できるエレベーター表示装置を提供することを目的とする。
【０００９】
【課題を解決するための手段】
本発明は、エレベーターの位置情報を表示する表示器と、表示器周辺に設置され、エレベーターの操作を行なう操作釦と、表示器のコントラストを変化させるコントラスト変化手段と、を備え、操作釦による操作によりコントラスト変化手段を作動させて表示器のコントラストを変化させることを特徴とするエレベーター表示装置、
各乗り場に設置されエレベーターの位置情報を表示する表示器と、各表示器周辺に設置され、エレベーターの操作を行なう操作釦と、各表示器のコントラストを変化させるコントラスト変化手段と、特定乗り場の操作釦を通常操作モードからコントラスト操作モードへ切替えるモード切替部と、このモード切替部を作動させるモード切替スイッチとを備え、特定乗り場のモード切替スイッチによりモード切替部を作動させて操作釦をコントラスト操作モードに切替え、当該乗り場の操作釦により特定乗り場および他の乗り場のコントラスト変化手段を作動させることを特徴とするエレベーター表示装置および
各乗り場に設置されエレベーターの位置情報を表示する表示器と、各表示器周辺に設置され、エレベーターの操作を行なう操作釦と、各表示器のコントラストを変化させるコントラスト変化手段と、操作釦を通常操作モードからコントラスト操作モードへ切替えるモード切替部と、各モード切替部を作動させるモード切替設定部とを備え、モード切替設定部によりモード切替部を作動させて操作釦をコントラスト操作モードに切替え、操作釦によりコントラスト変化手段を作動させることを特徴とするエレベーター表示装置である。
【００１０】
本発明によれば、エレベーター保守員のみならずビル管理者、ビルオーナー等の特定者も操作釦によりコントラスト変化手段を作動させて表示器のコントラスト調整が可能となり、調整ぼ容易性や調整時間の短縮が図れる。
【００１１】
この場合、モード切替スイッチによりモード切替部を作動させることにより操作釦を通常モードからコントラスト操作モードに切替えることができ、この操作釦によりコントラスト変化手段の作動が可能となる。
【００１２】
またモード切替スイッチを設けることなく操作釦の特殊操作によりモード切替部を作動させて、操作釦を通常モードからコントラスト操作モードに切替え、この操作釦によりコントラスト変化手段を作動させて、表示器のコントラスト調整が可能となる。このためモード切替スイッチの取り付けを不要とすることができる。
【００１３】
また乗り場の特定階のコントラスト調整により全階のコントラストを同時に変化させる場合、短時間に調整可能となる。
【００１４】
さらにまた据付調整段階で実施される乗り場各階伝送アドレス設定運転を利用し、同時にコントラスト調整した場合、作業の効率化が図れる。
【００１５】
【発明の実施の形態】
以下、図面を参照して本発明の実施の形態について説明する。図１乃至図４は本発明によるエレベーター表示装置の第１の実施の形態を示す図である。
【００１６】
図１に示すように、エレベーター表示装置はエレベーターの位置情報を表示する表示器９と、この表示器９の周辺に配置されエレベーターの操作を行なう操作釦１と、操作釦１を通常操作モードからコントラスト操作モードに切替える操作を行なうモード切替スイッチ２とを備えている。なお、モード切替スイッチ２は特定者のみ切り替えることができるようになっており、このためノーリターン式のスイッチが用いられている。
【００１７】
このうち表示器９はＬＣＤ表示部１１と、このＬＣＤ表示部１１を制御するＬＣＤ制御装置１０とからなっている。
【００１８】
また操作釦１とモード切替スイッチ２は、表示制御装置２０へ接続され、この表示制御装置２０により表示器９が制御される。
【００１９】
操作釦１およびモード切替スイッチ２からの制御信号は、表示制御装置２０内部のコネクタ６に送られ、コネクタ６に送られた制御信号はフィルタ３を通過しＣＰＵ４へ入力される。ＣＰＵ４は一般的に１チップＣＰＵが用いられ、内部にはＲＡＭ、ＲＯＭ、シリアル伝送制御、アナログ制御、パルス制御等の制御機能が内蔵されている。
【００２０】
ＣＰＵ４にはエレベーターの主制御装置とデーターの送受信を行なうシリアル伝送制御装置５と、ＬＣＤ表示部１１の表示を制御するＬＣＤ制御装置１０が接続され、このＬＣＤ制御装置１０へはＣＰＵ４から出力される表示データー８ビットが送られる。また、表示制御装置２０内には、ＬＣＤ電源電圧変換装置８が設けられ、ＬＣＤ電源電圧変換装置８の電圧変換信号がデジタルポテンションメーター７に送られ、このデジタルポテンションメーター７によりＬＣＤ電源を可変としてＬＣＤ表示部１１のコントラストを変化させる。
【００２１】
このように構成されたエレベーター表示装置において、その動作原理を説明する。エレベーターの運転中もしくは休止中において、特定者によるモード切替スイッチ２の操作より切り替え信号が発生する。この信号は表示制御装置２０に入力され、一旦フィルタ３でノイズ成分が除去される。ノイズ成分にはスイッチ切り替え時に発生するチャタリングや、モード切替スイッチ２と表示制御装置２０間の配線に生じる輻射ノイズが考えられる。
【００２２】
切り替え信号はフィルタ３通過後、ＣＰＵ４のデーターバスに入力されるか、あるいはポートデーターとして入力され、この入力データーはＣＰＵ４の内蔵ＲＡＭに記憶される。
【００２３】
シリアル伝送制御装置５からのシリアル伝送は、主制御装置と、乗り場表示装置、かご内表示装置、監視装置、または音声発生装置との間で使用される伝送であり、これらの各装置にもＰＣＵが搭載され、それぞれの送信受信のアドレスが設定されている。
【００２４】
また特定階の操作を他の階に伝達する手段が設けられている。この伝達する手段は、特定階のデーターを一端主制御装置に伝送し、主制御装置から他の階に伝送でデーターを送信するものである。
【００２５】
次にＣＰＵ４のＲＡＭに記憶されたスイッチデーターは、設定された送信アドレスの受信によるＲＡＭのデーターをレジスタへ転送し、受信アドレスに対する送信データーとして主制御装置に送信する。主制御装置ではシリアルの送信データーをバイトデーターに変換する。シリアルデーターは一般的に調歩同期が使用され、スタートビット、アドレスかデーター識別ビット、データー、ＣＲＣ、ストップビットというデーター構成をもち、このシリアルデーターより必要なデーターを抽出しバイトデーターに変換する。前記スイッチデーターの変換後、スイッチ信号の有無を判断し、スイッチデータの入力があれば、専用フラグを１とする。スイッチデーターの信頼性を高めるためにシリアル伝送での約１００ｍｓ周期のデーターを２０〜３０回読み出し、入力データーの一致を確認する。
【００２６】
図３のフローチャートで示すように、通常運転（Ｆ１）後、モード切替スイッチ２のデーターを入力した場合（Ｆ２）、操作釦１の通常操作モードがコントラスト操作モードに切り替わるための条件は、スイッチデーターの切り替わりと整合性フラグチェックの０が条件（Ｆ３）となる時である。この整合性フラグの目的は、モード切替スイッチ２を操作していないにもかかわらず接点の溶着等の誤動作のデーターが入力された状態が継続する場合の識別用のフラグである。一旦モード切替スイッチ２が１となり、操作釦１が操作されない状態が継続した場合、整合性フラグがセット（Ｆ１６）され、通常運転動作へ強制的に移行し、モード切替スイッチ２が一旦オフしない限り、切り替わりは無効となる。これは操作釦１の通常運転操作釦としての機能を優先させるためである。
【００２７】
各条件をクリアすると、タイマーＡがスタートし（Ｆ４）、主制御装置へデータが送られ（Ｆ５）、タイマーＢがスタートする（Ｆ６）。操作釦１は通常運転時の操作釦データーがマスクされ、主制御装置は操作釦１によるコントラスト調整処理許可信号を送信する（Ｆ７）。表示制御装置２０は受信アドレスが受信設定アドレスと一致すればデーター受信し、データーをＣＰＵ４のＲＡＭに記憶する。記憶されたデーターはスイッチデーターと受信許可データーとＡＮＤ条件であれば、ＣＰＵ４により操作釦１を通常操作モードからコントラスト操作モードへ切替える操作釦コントラスト調整処理へ移行する（Ｆ９）。このときＣＰＵ４はモード切替部として機能する。
【００２８】
この状態で操作釦１に押し圧が加わった状態（Ｆ１０）が継続すれば、操作釦１のオン信号が約１００ｍｓ程度の継続したデーターとして、主制御装置に伝送で送信される。主制御装置では釦のオン信号が解除されるまでデーターをカウントアップしていく（Ｆ１１）。操作釦１の押し圧がなくなった時点、すなわち釦のオフ信号を主制御装置で受信すると釦のオン信号のカウントアップを停止したのち、データーをＣＰＵ４のＲＡＭに記憶する。
【００２９】
次のステップは記憶されたデーターをコントラストデーターに変換する処理となる。まず、コントラスト濃度の段階は８〜１６段階程度となる。約１秒間の操作釦１のオン信号があれば、コントラスト１段階アップとすれば、最大１６段階変化で１６秒のオン信号継続が条件となる。これをデーターで変換すると、１秒は１００ｍｓを１０回でＡｈ、１６秒は１００ｍｓを１６０回で１Ａｈの１バイトデーターとなる。
【００３０】
そして、この操作釦１のオン信号に対する、コントラストデーターを表示制御装置２０へ送信する（Ｆ１２）。表示制御装置２０で受信されたデーターは一旦ＣＰＵ４のＲＡＭに格納後、ＬＣＤ電圧変換装置８にて処理を行なう（Ｆ１３）。
【００３１】
次に、コントラスト変化手段としてのＬＣＤの電圧変換装置８およびデジタルポテンションメータ７について説明する。コントラストデーターがＣＰＵ４のポートよりデジタルポテンションメーター７へ出力される。デジタルポテンションメーター７は外部からの電気信号により、抵抗値を自由に調整できる可変抵抗器からなり、不揮発性メモリーを内蔵しているので電源ＯＦＦでも設定値を記憶する特徴をもつ。ＣＰＵ４から出力されるデーターはデジタルポテンションメーター７のチップセレクト、インクリメント信号、アップ／ダウン信号からなる。次にデーター出力からコントラスト調整までの動作原理について、図３を用いて説明する。
【００３２】
ＣＰＵ４のチップセレクト信号１６が入力した後、デジタルポテンションメーター７は有効選択状態となる。この状態で抵抗値上昇または下降を決定するアップ／ダウン信号１８を出力する。抵抗値上昇量および下降量はインクリメント信号１７のアップエッジもしくはダウンエッジにより決定する。インクリメント信号１７のオンオフ繰り返しによるダウンエッジの発生で、抵抗値を選定するタップが決定する。そしてこの抵抗値をＣＰＵ４のＲＡＭに記憶する。この抵抗値はＬＣＤ電源のスイッチング出力の基準電圧の分圧抵抗として使用される。すなわち、抵抗値を変化させ、分圧値を可変とすることで、ＰＷＭ制御装置のスイッチング周波数に変化させ、基準電圧をＬＣＤ電源のＤＣ５Ｖから０Ｖ間で変化させる。これにより、ＬＣＤ電源の変化によりＬＣＤ表示部１１のコントラストが変化する。
【００３３】
乗り場操作釦１のように中間階でアップ、ダウンの釦が２個設置されている場合は、アップ釦でコントラスト濃さ増加、ダウン釦でコントラスト濃さ減少といった使用方法が可能である。また、最上階や最下階では釦が１個しか設置されないため、コントラスト濃さ増加の方向で固定し、１６段階のリミット値を越えた場合は、最もコントラストが低い状態へ戻す方法も可能である。
【００３４】
次にモード切替スイッチ２によって通常操作モードへの切替えが行なわれ（Ｆ１４）、整合性フラッグリセット（Ｆ１５）を経て通常運転へ戻る（Ｆ１）。またタイマーＡがオーバーすると（Ｆ１９）、タイマーＡがリセットされて（Ｆ２０）、整合性フラッグセット（Ｆ１７）へ戻る。
【００３５】
次に第２の実施の形態について説明する。第２の実施の形態は操作釦１を通常操作モードからコントラスト操作モードへ切り替える場合、モード切替スイッチ２を用いることなく、操作釦１の特殊操作により行なうものである。特殊操作は一定時間操作釦１を押しつづけるか、一定時間に何回押すかといった方法を用いる。乗り場最上階や最下階のように操作釦１が１個の場合は、最初に１回押し、２〜３秒後に２回連続で押し、さらに２〜３秒後に２回連続で押す方法で操作釦１の切り替え条件を設定することが可能である。コントラスト調整に切り替え後の構成は第１の実施の形態と略同一である。
【００３６】
次に第３の実施の形態について説明する。第１の実施の形態において、モード切替スイッチ２を各表示器９に対して設け、このモード切替スイッチ２を切り替えることでコントラスト調整を行なう例を示した。これに対し本実施の形態では各乗り場に表示器９を設置するとともに特定階のみモード切替スイッチ２を設置し、このモード切替スイッチ２によりモード切替部（ＣＰＵ４）を作動させて、特定階の操作釦１をコントラスト操作モードに切り替えてもよい。この場合、当該操作釦１により特定階および他の階のコントラスト変化手段を操作して特定階の表示器９のコントラストを調整すると、他の各乗り場の表示器９も特定階の表示器９のコントラストと同一となるよう調整する。
【００３７】
これにより、室内乗り場で各階に照度や表示器配置に変化がない場合、同時に全階の乗り場の表示器９のコントラストが調整可能となり、作業時間の短縮が図れる。
【００３８】
次に第４の実施の形態について説明する。第４の実施の形態において、各乗り場に表示器９を設置した場合、設置された階がどこかを認識する、シリアル伝送送受信アドレスを設定する。この時、制御装置でコントラスト調整モードを設定する手段として主制御装置のアドレス設定モードを用い、コントラスト調整モードとして伝送により各階の表示制御装置２０へ切替え信号を送信する。
【００３９】
このとき、主制御装置は、各階の表示制御装置２０のＣＰＵ４（モード切替部）を作動させるモード切替設定部として機能する。このアドレスの設定は一般的な方法としてエレベーターを走行させながら各階停止させ、順次各階乗り場操作釦１を操作することによりアドレスを設定する。各階でアドレス設定完了時に第１の実施の形態と同様、操作釦切り替わり許可信号を出力し、表示器９のコントラスト調整を許可し、ＣＰＵ４により操作釦１の操作モードの切替えを行なって操作釦１の操作でコントラスト調整可能としたものである。特定者を保守員のみ限定する場合に有効で、モード切替スイッチの取付けが不要となる。
【００４０】
【発明の効果】
以上のように本発明によれば、保守員やビル管理人等の特定者が容易かつ簡単にエレベーター表示装置の表示器のコントラストを調整することができる。
【図面の簡単な説明】
【図１】本発明によるエレベーター表示装置の第１の実施形態を示す構成図。
【図２】図１に示すエレベーター表示装置の動作シーケンスを示すフローチャート。
【図３】図１に示すエレベーター表示装置の動作シーケンスを示すフローチャート。
【図４】エレベーター表示装置のＬＣＤ電圧調整タイミングチャート図。
【図５】従来のＬＣＤ表示装置を示す構成図。
【符号の説明】
１  操作釦
２  モード切替スイッチ
４  ＣＰＵ
７  デジタルポテンションメーター
８  電圧変換装置
９  ＬＣＤ表示器
１０  ＬＣＤ制御装置
１１  ＬＣＤ表示部
２０  表示制御装置
【図１】
0004383575.tif 000002
【図２】
0004383575.tif 000003
【図３】
0004383575.tif 000004
【図４】
0004383575.tif 000005
【図５】
0004383575.tif 000006